(57)【要約】  本発明は、複数の表示モードを有する液晶表示パネルの共通電極に共通電圧を提供するための共通電極駆動モジュールであって、電圧源を受け取り、かつ前記電圧源を分圧して入力電圧を取得する分圧抵抗ストリングと、前記分圧抵抗ストリングに接続され、少なくとも１つのスイッチ素子を含み、前記スイッチ素子のオン又はオフを制御することにより、前記分圧抵抗ストリングが異なる数量の抵抗を含むようにし、それにより大きさの異なる入力電圧を分圧で取得するスイッチ選択ユニットと、前記入力電圧を増幅して共通電圧を形成し前記共通電極に提供する電圧増幅ユニットと、前記スイッチ選択ユニットに制御信号を提供し、前記スイッチ素子のオン又はオフを制御することにより、現在の表示モードに対応する共通電圧を取得するモード切替ユニットとを含む共通電極駆動モジュールを開示する。本発明は、以上のような共通電極駆動モジュールを含む液晶表示パネルをさらに開示する。
2019517036.tif 000002
【特許請求の範囲】
【請求項１】
複数の表示モードを有する液晶表示パネルの共通電極に共通電圧を提供するための共通電極駆動モジュールであって、
電圧源を受け取り、かつ前記電圧源を分圧して入力電圧を取得する分圧抵抗ストリングと、
前記分圧抵抗ストリングに接続され、少なくとも１つのスイッチ素子を含み、前記スイッチ素子のオン又はオフを制御することにより、前記分圧抵抗ストリングが異なる数量の抵抗を含むようにし、それにより分圧して大きさの異なる入力電圧を取得するスイッチ選択ユニットと、
前記入力電圧を増幅して共通電圧を形成し前記共通電極に提供する電圧増幅ユニットと、
前記スイッチ選択ユニットに制御信号を提供し、前記スイッチ素子のオン又はオフを制御することにより、現在の表示モードに対応する共通電圧を取得するモード切替ユニットと、を含むことを特徴とする共通電極駆動モジュール。
【請求項２】
前記分圧抵抗ストリングは、互いに直列接続された複数の可変抵抗を含むことを特徴とする請求項１に記載の共通電極駆動モジュール。
【請求項３】
前記共通電圧と前記入力電圧との関係は、共通電圧＝Ｋ×入力電圧（Ｋは定数である）であることを特徴とする請求項１に記載の共通電極駆動モジュール。
【請求項４】
前記スイッチ素子はＭＯＳトランジスタであり、前記ＭＯＳトランジスタのゲートが前記制御信号を受信し、ソースが接地され、ドレインが前記分圧抵抗ストリングに接続されることを特徴とする請求項１に記載の共通電極駆動モジュール。
【請求項５】
前記分圧抵抗ストリングは順に直列接続された第１の抵抗、第２の抵抗及び第３の抵抗を含み、前記スイッチ選択ユニットは第１のＭＯＳトランジスタと第２のＭＯＳトランジスタを含み、前記第１の抵抗の第１端は前記電圧源を受け取り、第２端は前記第２の抵抗の第１端に接続され、前記第２の抵抗の第２端は前記第３の抵抗の第１端に接続され、前記第１のＭＯＳトランジスタのゲートは第１の制御信号を受信し、ソースは接地され、ドレインは前記第２の抵抗の第２端に接続され、前記第２のＭＯＳトランジスタのゲートは第２の制御信号を受信し、ソースは接地され、ドレインは前記第３の抵抗の第２端に接続され、前記入力電圧は前記第１の抵抗の第２端と前記第２の抵抗の第１端との間で分圧して取得されることを特徴とする請求項４に記載の共通電極駆動モジュール。
【請求項６】
前記第１の制御信号と第２の制御信号はそれぞれハイレベル又はローレベルであり、両者の異なる組み合わせは異なる表示モードに対応することを特徴とする請求項５に記載の共通電極駆動モジュール。
【請求項７】
前記第１の抵抗の第２端と前記第２の抵抗の第１端との間はさらにコンデンサにより接地されることを特徴とする請求項５に記載の共通電極駆動モジュール。
【請求項８】
表示パネルと、前記表示パネルにデータ信号を提供するソース駆動モジュールと、前記表示パネルに走査信号を提供するゲート駆動モジュールと、前記表示パネルに共通電圧を提供する共通電極駆動モジュールとを含み、前記共通電極駆動モジュールは、
電圧源を受け取り、かつ前記電圧源を分圧して入力電圧を取得する分圧抵抗ストリングと、
前記分圧抵抗ストリングに接続され、少なくとも１つのスイッチ素子を含み、前記スイッチ素子のオン又はオフを制御することにより、前記分圧抵抗ストリングが異なる数量の抵抗を含むようにし、それにより大きさの異なる入力電圧を分圧で取得するスイッチ選択ユニットと、
前記入力電圧を増幅して共通電圧を形成し前記共通電極に提供する電圧増幅ユニットと、
前記スイッチ選択ユニットに制御信号を提供し、前記スイッチ素子のオン又はオフを制御することにより、現在の表示モードに対応する共通電圧を取得するモード切替ユニットと、を含むことを特徴とする液晶表示パネル。
【請求項９】
前記分圧抵抗ストリングは互いに直列接続された複数の可変抵抗を含むことを特徴とする請求項８に記載の液晶表示パネル。
【請求項１０】
前記共通電圧と前記入力電圧との関係は、共通電圧＝Ｋ×入力電圧（Ｋは定数である）であることを特徴とする請求項８に記載の液晶表示パネル。
【請求項１１】
前記スイッチ素子はＭＯＳトランジスタであり、前記ＭＯＳトランジスタのゲートが前記制御信号を受信し、ソースが接地され、ドレインが前記分圧抵抗ストリングに接続されることを特徴とする請求項８に記載の液晶表示パネル。
【請求項１２】
前記分圧抵抗ストリングは順に直列接続された第１の抵抗、第２の抵抗及び第３の抵抗を含み、前記スイッチ選択ユニットは第１のＭＯＳトランジスタと第２のＭＯＳトランジスタを含み、前記第１の抵抗の第１端は前記電圧源を受け取り、第２端は前記第２の抵抗の第１端に接続され、前記第２の抵抗の第２端は前記第３の抵抗の第１端に接続され、前記第１のＭＯＳトランジスタのゲートは第１の制御信号を受信し、ソースは接地され、ドレインは前記第２の抵抗の第２端に接続され、前記第２のＭＯＳトランジスタのゲートは第２の制御信号を受信し、ソースは接地され、ドレインは前記第３の抵抗の第２端に接続され、前記入力電圧は前記第１の抵抗の第２端と前記第２の抵抗の第１端との間で分圧して取得されることを特徴とする請求項１１に記載の液晶表示パネル。
【請求項１３】
前記第１の制御信号と第２の制御信号はそれぞれハイレベル又はローレベルであり、両者の異なる組み合わせは異なる表示モードに対応することを特徴とする請求項１２に記載の液晶表示パネル。
【請求項１４】
前記第１の抵抗の第２端と前記第２の抵抗の第１端との間はさらにコンデンサにより接地されることを特徴とする請求項１２に記載の液晶表示パネル。
【発明の詳細な説明】
【技術分野】
【０００１】
本発明は、液晶表示の技術分野に関し、特に共通電極駆動モジュール及び該共通電極駆動モジュールを含む液晶表示パネルに関する。
【背景技術】
【０００２】
液晶表示装置（Ｌｉｑｕｉｄ  Ｃｒｙｓｔａｌ  Ｄｉｓｐｌａｙ，ＴＦＴ−ＬＣＤ）は、体積が小さく、エネルギー消費が低く、製造コストが比較的に低く、放射性がない等の特徴を有し、現在のフラットパネル表示装置の市場で主導的地位を占め、液晶表示装置は各種の電子機器、例えば携帯電話、タブレットコンピュータ等に広く適用される。
【０００３】
液晶表示装置の駆動システムは、共通電極駆動モジュールを含み、一般的に、従来の駆動システムにおける共通電極駆動モジュールは１つのみの共通電圧（Ｖｃｏｍ）を提供可能に設定されている。液晶表示装置の性能がますます進化しかつ多彩になることに伴い、駆動システムに常に２Ｄ＠６０Ｈｚ、２Ｄ＠１２０Ｈｚ及び３Ｄ＠１２０Ｈｚ（又は３Ｄ＠２４０Ｈｚ）等の多種の表示モードが共存し、各表示モードの画素ユニットに対する充電時間が異なるため、必要なＶｃｏｍも異なる。従って従来の共通電極駆動モジュールは、１つのみの共通電圧を提供でき、異なる表示モードに異なるＶｃｏｍを設定する需要を満たすことができない。
【発明の概要】
【０００４】
これに鑑みて、本発明は、異なる表示モードに応じて液晶表示パネルの共通電極に異なる共通電圧を提供することができる共通電極駆動モジュールを提供する。
【０００５】
上記目的を達成するために、本発明は以下の技術手段を採用する。
【０００６】
複数の表示モードを有する液晶表示パネルの共通電極に共通電圧を提供するための共通電極駆動モジュールは、電圧源を受け取り、かつ前記電圧源を分圧して入力電圧を取得する分圧抵抗ストリングと、前記分圧抵抗ストリングに接続され、少なくとも１つのスイッチ素子を含み、前記スイッチ素子のオン又はオフを制御することにより、前記分圧抵抗ストリングが異なる数量の抵抗を含むようにし、それにより大きさの異なる入力電圧を分圧で取得するスイッチ選択ユニットと、前記入力電圧を増幅して共通電圧を形成し前記共通電極に提供する電圧増幅ユニットと、前記スイッチ選択ユニットに制御信号を提供し、前記スイッチ素子のオン又はオフを制御することにより、現在の表示モードに対応する共通電圧を取得するモード切替ユニットと、を含む。
【０００７】
前記分圧抵抗ストリングは互いに直列接続された複数の可変抵抗を含む。
【０００８】
前記共通電圧と前記入力電圧との関係は、共通電圧＝Ｋ×入力電圧（Ｋは定数である）である。
【０００９】
前記スイッチ素子はＭＯＳトランジスタであり、前記ＭＯＳトランジスタのゲートが前記制御信号を受信し、ソースが接地され、ドレインが前記分圧抵抗ストリングに接続される。
【００１０】
前記分圧抵抗ストリングは、順に直列接続された第１の抵抗、第２の抵抗及び第３の抵抗を含み、前記スイッチ選択ユニットは、第１のＭＯＳトランジスタと第２のＭＯＳトランジスタを含み、前記第１の抵抗の第１端は前記電圧源を受け取り、第２端は前記第２の抵抗の第１端に接続され、前記第２の抵抗の第２端は前記第３の抵抗の第１端に接続され、前記第１のＭＯＳトランジスタのゲートは第１の制御信号を受信し、ソースは接地され、ドレインは前記第２の抵抗の第２端に接続され、前記第２のＭＯＳトランジスタのゲートは第２の制御信号を受信し、ソースは接地され、ドレインは前記第３の抵抗の第２端に接続され、前記入力電圧は前記第１の抵抗の第２端と前記第２の抵抗の第１端との間で分圧して取得される。
【００１１】
前記第１の制御信号と第２の制御信号はそれぞれハイレベル又はローレベルであり、両者の異なる組み合わせは異なる表示モードに対応する。
【００１２】
前記第１の抵抗の第２端と前記第２の抵抗の第１端との間はさらにコンデンサにより接地される。
【００１３】
本発明の他の態様は、表示パネルと、前記表示パネルにデータ信号を提供するソース駆動モジュールと、前記表示パネルに走査信号を提供するゲート駆動モジュールと、前記表示パネルに共通電圧を提供する、前記のような共通電極駆動モジュールとを含む液晶表示パネルを提供する。
【００１４】
本発明の実施例に係る共通電極駆動モジュールは、異なる表示モードに応じて液晶表示パネルの共通電極に異なる共通電圧を提供し、液晶表示パネルに対して複数の表示モードを同時に設定する要求を満たすことができ、各表示モードに対してそれぞれ対応する共通電圧を提供し、異なる表示モードでいずれも表示パネルを最適な表示状態を達成させ、製品の性能を向上させることができる。
【図面の簡単な説明】
【００１５】
【図１】本発明の実施例に係る液晶表示パネルの概略構成図である。
【図２】本発明の実施例に係る共通電極駆動モジュールの概略構成図である。
【図３】本発明の実施例に係る共通電極駆動モジュールの回路図である。
【発明を実施するための形態】
【００１６】
本発明の目的、技術手段及び利点をより明らかにするために、以下は図面を参照しながら本発明の具体的な実施形態を詳細に説明する。これらの好ましい実施形態の例は図面において例示されている。図面に示され、図面に基づいて説明された本発明の実施形態は単に例示的なものであり、本発明はこれらの実施形態に限定されるものではない。
【００１７】
また、ここで、不必要な詳細により本発明を不明瞭にすることを回避するために、図面において本発明に係る解決手段と密接に関連する構造及び／又は処理ステップのみを示し、本発明との関係が薄い他の細部を省略している。
【００１８】
本発明の実施例は、まず、図１に示すように、前記液晶表示パネルは、表示パネル１、ソース駆動モジュール２、ゲート駆動モジュール３及び共通電極駆動モジュール４を含む液晶表示パネルを提供する。前記表示パネル１には、縦横に交差したデータ線、走査線及びデータ線と走査線との間に位置した複数の画素ユニット（図示せず）が設置され、前記ソース駆動モジュール２がデータ線を介して前記表示パネル１にデータ信号Ｄａｔａを提供し、前記ゲート駆動モジュールが走査線を介して前記表示パネル１に走査信号Ｇａｔｅを提供し、前記共通電極駆動モジュール４が前記表示パネル１における共通電極に共通電圧Ｖｃｏｍを提供する。
【００１９】
本実施例において、前記液晶表示パネルは多種の表示モードを有し、例えば、２Ｄ＠６０Ｈｚ、２Ｄ＠１２０Ｈｚ及び３Ｄ＠１２０Ｈｚ（又は３Ｄ＠２４０Ｈｚ）等の多種の表示モードが共存する。液晶表示パネルに対して複数の表示モードを同時に設定する要求を満たすために、本実施例において、前記共通電極駆動モジュール４は、異なる表示モードに応じて異なる共通電圧を提供できるように設定される。
【００２０】
具体的には、図２に示すように、前記共通電極駆動モジュール４は、分圧抵抗ストリング１０、スイッチ選択ユニット２０、電圧増幅ユニット３０及びモード切替ユニット４０を含む。
【００２１】
前記分圧抵抗ストリング１０は、互いに直列接続された複数の抵抗を含み、これらの抵抗が好ましくは可変抵抗を使用する。前記分圧抵抗ストリング１０は、電圧源Ｖ０を受け取り、かつ前記電圧源Ｖ０を分圧して入力電圧Ｖｉｎを取得する。
【００２２】
前記スイッチ選択ユニット２０は、前記分圧抵抗ストリング１０に接続され、前記分圧抵抗ストリング１０に直列接続された抵抗の数量を制御することにより、分圧して取得された電圧Ｖｉｎの大きさを変更する。具体的には、前記スイッチ選択ユニット２０は、少なくとも１つのスイッチ素子を含み、前記スイッチ素子のオン又はオフを制御することにより、前記分圧抵抗ストリング１０が異なる数量の抵抗を含むようにし、それにより大きさの異なる入力電圧Ｖｉｎを分圧で取得する。
【００２３】
前記電圧増幅ユニット３０は、主に前記入力電圧Ｖｉｎを増幅し共通電圧Ｖｃｏｍを形成して共通電極に提供する。前記電圧増幅ユニット３０は、主に電圧を増幅するために用いられ、本実施例において、前記共通電圧Ｖｃｏｍと前記入力電圧Ｖｉｎとの関係は、Ｖｃｏｍ＝Ｋ×Ｖｉｎ（Ｋは定数で、増幅係数である）である。
【００２４】
前記モード切替ユニット４０は、前記スイッチ選択ユニット２０に制御信号を提供し、前記スイッチ選択ユニット２０におけるスイッチ素子のオン又はオフを制御することにより、現在の表示モードに対応する共通電圧Ｖｃｏｍを取得する。具体的には、前記モード切替ユニット４０は、中央制御パネル（ＴＣＯＮ）に集成され、前記モード切替ユニット４０は、液晶表示パネルの現在の表示モードに応じて、パラメータに対応する制御信号をスイッチ選択ユニット２０に提供し、前記スイッチ選択ユニット２０中のスイッチ素子のオン又はオフを制御することにより、現在の表示モードに対応する共通電圧Ｖｃｏｍを取得する。
【００２５】
本実施例において、前記スイッチ素子としてＭＯＳトランジスタを選択し、前記ＭＯＳトランジスタのゲートは前記制御信号を受信し、ソースは接地され、ドレインは前記分圧抵抗ストリングに接続される。当然のことながら、他の一部の実施例において、前記スイッチ素子はトリオードを選択してもよい。
【００２６】
具体的には、本実施例において、図３に示すように、前記分圧抵抗ストリング１０は、順に直列接続された第１の抵抗Ｒ１、第２の抵抗Ｒ２及び第３の抵抗Ｒ３を含み、前記スイッチ選択ユニット２０は第１のＭＯＳトランジスタＱ１及び第２のＭＯＳトランジスタＱ２を含む。前記第１の抵抗Ｒ１の第１端は前記電圧源Ｖ０を受け取り、第２端は前記第２の抵抗Ｒ２の第１端に接続され、前記第２の抵抗Ｒ２の第２端は前記第３の抵抗Ｒ３の第１端に接続される。前記第１のＭＯＳトランジスタＱ１のゲートは第１の制御信号Ｓ１を受信し、ソースは接地され、ドレインは前記第２の抵抗Ｒ２の第２端に接続され、前記第２のＭＯＳトランジスタＱ２のゲートは第２の制御信号Ｓ２を受信し、ソースは接地され、ドレインは前記第３の抵抗Ｒ３の第２端に接続され、前記入力電圧Ｖｉｎは前記第１の抵抗Ｒ１の第２端と前記第２の抵抗Ｒ２の第１端との間で分圧して取得される。第１の制御信号Ｓ１及び第２の制御信号Ｓ２は前記モード切替ユニット４０により生成され、入力電圧Ｖｉｎは電圧増幅ユニット３０により増幅された後に共通電圧Ｖｃｏｍを形成する。
【００２７】
前記第１の制御信号Ｓ１と第２の制御信号Ｓ２はそれぞれハイレベル又はローレベルであり、両者の異なる組み合わせは異なる表示モードに対応する。以下、図３を参照しながら例を挙げて詳細に説明する。
【００２８】
モード１：モード切替ユニット４０は、第１の制御信号Ｓ１と第２の制御信号Ｓ２がいずれもローレベルであり、第１のＭＯＳトランジスタＱ１と第２のＭＯＳトランジスタＱ２がいずれもオフ状態であるように設定する。この場合、分圧抵抗ストリング１０に接地端がなく、入力電圧Ｖｉｎが電圧源Ｖ０に等しく、入力電圧Ｖｉｎが電圧増幅ユニット３０により増幅された後に、モード１に対応する第１の数値の共通電圧Ｖｃｏｍを形成し、モード１は例えば２Ｄ＠６０Ｈｚであってもよい。
【００２９】
モード２：モード切替ユニット４０は、第１の制御信号Ｓ１がハイレベルで、第２の制御信号Ｓ２がローレベルであり、それに応じて、第１のＭＯＳトランジスタＱ１がオン状態で、第２のＭＯＳトランジスタＱ２がオフ状態であるように設定し、この場合、第２の抵抗Ｒ２の他端は第１のＭＯＳトランジスタＱ１により接地され、入力電圧Ｖｉｎは、電圧源Ｖ０が第１の抵抗Ｒ１及び第２の抵抗Ｒ２を通過した後の分圧であり、具体的には、Ｖｉｎ＝Ｖ０×Ｒ２／（Ｒ１＋Ｒ２）である。入力電圧Ｖｉｎが電圧増幅ユニット３０により増幅された後に、モード２に対応する第２の数値の共通電圧Ｖｃｏｍを形成し、モード２は例えば２Ｄ＠１２０Ｈｚであってもよい。
【００３０】
モード３：モード切替ユニット４０は、第１の制御信号Ｓ１がローレベルで、第２の制御信号Ｓ２がハイレベルであり、それに応じて、第１のＭＯＳトランジスタＱ１がオフ状態で、第２のＭＯＳトランジスタＱ２がオン状態であるように設定し、この場合、第２の抵抗Ｒ２の第２端は接地から遮断され、第３の抵抗Ｒ３の第２端は第２のＭＯＳトランジスタＱ２により接地され、入力電圧Ｖｉｎは、電圧源Ｖ０の第１が抵抗Ｒ１、第２の抵抗Ｒ２及び第３の抵抗Ｒ３を通過した後の分圧であり、具体的には、Ｖｉｎ＝Ｖ０×（Ｒ２＋Ｒ３）／（Ｒ１＋Ｒ２＋Ｒ３）である。入力電圧Ｖｉｎが電圧増幅ユニット３０により増幅された後に、モード３に対応する第３の数値の共通電圧Ｖｃｏｍを形成し、モード３は例えば３Ｄ＠１２０Ｈｚ又は３Ｄ＠２４０Ｈｚであってもよい。
【００３１】
さらに、図３に示すように、前記第１の抵抗Ｒ１の第２端と前記第２の抵抗Ｒ２の第１端との間は、主に入力電圧Ｖｉｎの安定性を向上させるために、さらにコンデンサＣによりグランドに接続される。
【００３２】
上記のように、本発明の実施例に係る共通電極駆動モジュールは、異なる表示モードに応じて液晶表示パネルの共通電極に異なる共通電圧を提供し、液晶表示パネルに対して複数の表示モードを同時に設定する要求を満たすことができ、各表示モードに対してそれぞれ対応する共通電圧を提供し、異なる表示モードでいずれも表示パネルを最適な表示状態を達成させ、製品の性能を向上させることができる。
【００３３】
なお、本明細書において、例えば第１の及び第２の等のような関係用の用語はただある実体又は操作と別の実体又は操作を区別するのみに用いられ、必ずしもこれらの実体又は操作の間にこのようないずれかの実際的関係又は順序が存在するように要求又は暗示することは限らない。かつ、用語「含む」、「包含」又はその他のいかなる変形は非排他的な包含を意味し、それにより一連の要素を含む過程、方法、物品又は機器は、それらの要素を含むだけでなく、明確に列挙されていない他の要素も含み、又はこのような過程、方法、物品又は機器に固有の要素も含む。更なる限定のない場合、「……を含む」という文により限定された要素は、前記要素を含む過程、方法、物品又は機器においてさらに別の同一の要素が存在することを排除するものではない。
【００３４】
上記のようなものは本出願の発明を実施するための単なる形態であり、指摘すべきこととして、当業者にとって、本出願の原理から逸脱しない前提で、いくつかの改善及び修飾をすることができ、これらの改善及び修飾も本出願の保護範囲に含まれるべきである
【符号の説明】
【００３５】
１  表示パネル
２  ソース駆動モジュール
３  ゲート駆動モジュール
４  共通電極駆動モジュール
１０  分圧抵抗ストリング
２０  スイッチ選択ユニット
３０  電圧増幅ユニット
４０  モード切替ユニット
【図１】
2019517036.tif 000003
【図２】
2019517036.tif 000004
【図３】
2019517036.tif 000005
【国際調査報告】
2019517036.tif 000006
2019517036.tif 000007
2019517036.tif 000008
2019517036.tif 000009